(57)【特許請求の範囲】
【請求項１】
片面の周辺に沿って複数の電極を有する面発光パネルと、前記面発光パネルの前記片面に位置する第１の枠と他の片面に位置する第２の枠とを有し前記第１の枠と前記第２の枠の間に前記面発光パネルを収納するスペースを形成しかつ前記第１の枠および前記第２の枠の少なくとも一方が前記面発光パネルの発光を通すようにした装置本体とを備え、
前記第１の枠は、前記面発光パネルの前記片面が向く平面部を有し、前記平面部の側端に前記面発光パネルの前記スペースを形成する側端部を有し、前記第２の枠は前記側端部に取付けられており、
前記平面部は前記面発光パネルが収納された状態で前記複数の電極にそれぞれ接触する接触部を有し、前記側端部は外側面に接続部となる凹部を有し、前記側端部を貫通して前記凹部内に配置されるとともに配線部を介して前記接触部と接続された外部接触部を有し、前記凹部に外部接続部材の電極の付いた被接続部を挿入することにより、前記被接続部の電極が前記外部接触部に接触するとともに、前記装置本体が前記被接続部に固定される照明装置。
【請求項２】
前記複数の電極は一対の電極であり、前記外部接触部は前記一対の電極に対応して前記凹部に一対有し、前記被接続部の前記電極は前記一対の外部接触部に対応して一対有する請求項１記載の照明装置。
【請求項３】
前記接続部および前記被接続部の少なくとも一方は、他方を弾性的に保持するばね部を有する請求項１または請求項２記載の照明装置。
【請求項４】
片面の周辺に沿って複数の電極を有する面発光パネルと、前記面発光パネルの前記片面に位置する第１の枠と他の片面に位置する第２の枠とを有し前記第１の枠と前記第２の枠の間に前記面発光パネルを収納するスペースを形成しかつ前記第１の枠および前記第２の枠の少なくとも一方が前記面発光パネルの発光を通すようにした装置本体とを備え、
前記第１の枠は、前記面発光パネルの前記片面が向く平面部を有し、前記平面部の側端に前記面発光パネルの前記スペースを形成する側端部を有し、前記第２の枠は前記側端部に取付けられており、
前記平面部は前記面発光パネルが収納された状態で前記複数の電極にそれぞれ接触する接触部を有し、前記平面部の前記面発光パネルと反対側に固定用の部材を有し、前記部材の側面に凹部を有し、前記平面部を貫通して前記凹部に設けられるとともに同極同士が対角となるように前記平面部の角部に位置した外部接触部を有し、前記接触部と前記外部接触部を接続する配線部を有し、前記凹部に前記外部接続部材の一対の電極の付いた被接続部を挿入することにより、前記一対の電極が前記外部接触部に接触するとともに、前記装置本体が前記被接続部に固定される照明装置。
【請求項５】
前記第１の枠または前記第２の枠の発光面側を導光部材により形成した請求項１、請求項２、請求項３または請求項４記載の照明装置。
【請求項６】
請求項４の照明装置を複数用いた照明器具であって、複数の装置本体を相隣接したとき前記凹部同士が対向するように、前記凹部が前記枠の側面に溝状に形成され、前記外部接続部材が前記溝状の凹部の端部から挿入されることにより前記装置本体が前記外部接続部材に固定される照明器具。
【発明の詳細な説明】
【技術分野】
【０００１】
この発明は、照明用ＥＬ（エレクトロ・ルミネッセンス）パネルを用いた照明装置および照明器具に関するものである。
【背景技術】
【０００２】
有機ELパネルは、基板上に電極層（陽極）、ＥＬ（エレクトロルミネッセンス）素子層、電極層（陰極）を積層し、これらの積層部分を湿度から保護する防湿膜から作られている。有機ELパネルの基板として、ガラスを用いることが多い。有機ELパネルの基板の厚さは、ガラス基板上に電極層、発光層の薄い膜が形成され、ガラス基板と併せても3mm程度と非常に薄い。また、最近の有機ELパネルの製造技術の進歩により有機ELの面積の大型化が可能となってきている。そのため、機械的応力が加わると非常に割れやすく、取扱いに注意を要する。
【０００３】
機械的応力の防止方法として、特許文献１のように、有機ELパネルを装置本体である箱状の枠内に収納する方法が提案されている。特許文献１では、枠の一部に開口部があり、開口部より有機ELパネルを収納する。また枠の一箇所に枠外に突出した外部接続用の電源端子が設けてある。開口部には、蓋がなく、有機ELパネルの電極の一部を狭持し、枠に保持しているために有機ELパネルには機械的応力がかかりやすい。
【０００４】
また、蓋がないことから、開口部を下にして設置すると有機ELパネルが落下する恐れがあり、枠の設置向きが限定されてしまう。
【０００５】
また、有機ELパネルを照明として使用するには、明るさが従来の蛍光ランプに比べてまだ暗いため、有機ELパネルを複数用いないと、従来からの照明としての機能を果たすことが難しいのが現状である。
【０００６】
しかし、上記のように端子が枠の外部に突出している場合、枠同士を隣接して配置する際に隙間が生じてしまい、隙間を生じないで隣接させる場合は、一直線状に並べ外部突出部を一方向に配置するか、縦横2列の正方形に並べるなどの限定されたものとなってしまう。
【０００７】
また、有機ELパネルは直流電圧を印加して点灯させるものであり、通常は有機ELパネルの外部電源からの電源供給用の電極をガラス基板上の発光面近傍に配置してある。電極への電気的接続は、電極の一部にリード線を用いて接続することが多い。リード線と外部電源（電極）との間は、有機ELパネルを固定または保持する部材の中空部にリード線を挿入する場合が多く、リード線接続を行う際にリード線を引張ったり、屈曲したりする。
【０００８】
そこで、接続部への応力緩和するのため、保持部材によりリード線をある部分で保持することが必要となる。このため、配線処理に非常に時間がかかるという問題があった。
【０００９】
また、陽極に用いる透明電極のITO膜は電気抵抗が大きいため、電極の一部のみ接続した場合、接続箇所から遠い部分では電流が流れにくい。したがって、上記電極の一部に電気的接続を行うと、発光面内の発光にむらが生じやすくなり、発光面積が大きくなるとさらに顕著にむらが生じてしまうという問題が生じやすいという課題がある。
【特許文献１】特開平６−２２３９７２号公報
【発明の開示】
【発明が解決しようとする課題】
【００１０】
この発明は、このような状況に鑑み、上記の配線作業が簡単になり外部接続部材との接続が容易な照明装置および照明器具を提供することである。
【課題を解決するための手段】
【００１１】
この発明の照明装置は、片面の周辺に沿って複数の電極を有する面発光パネルと、前記面発光パネルの前記片面に位置する第１の枠と他の片面に位置する第２の枠とを有し前記第１の枠と前記第２の枠の間に前記面発光パネルを収納するスペースを形成しかつ前記第１の枠および前記第２の枠の少なくとも一方が前記面発光パネルの発光を通すようにした装置本体とを備えている。前記第１の枠は、前記面発光パネルの前記片面が向く平面部を有し、前記平面部の側端に前記面発光パネルの前記スペースを形成する側端部を有し、前記第２の枠は前記側端部に取付けられている。前記平面部は前記面発光パネルが収納された状態で前記複数の電極にそれぞれ接触する接触部を有し、前記側端部は外側面に接続部となる凹部を有し、前記側端部を貫通して前記凹部内に配置されるとともに配線部を介して前記接触部と接続された外部接触部を有する。前記凹部に外部接続部材の電極の付いた被接続部を挿入することにより、前記被接続部の電極が前記外部接触部に接触するとともに、前記装置本体が前記被接続部に固定される。
【００１２】
上記構成において、前記複数の電極は一対の電極であり、前記外部接触部は前記一対の電極に対応して前記凹部に一対有し、前記被接続部の前記電極は前記一対の外部接触部に対応して一対有する。
【００１３】
上記構成において、前記接続部および前記被接続部の少なくとも一方は、他方を弾性的に保持するばね部を有する。
【００１４】
この発明の別の照明装置は、片面の周辺に沿って複数の電極を有する面発光パネルと、前記面発光パネルの前記片面に位置する第１の枠と他の片面に位置する第２の枠とを有し前記第１の枠と前記第２の枠の間に前記面発光パネルを収納するスペースを形成しかつ前記第１の枠および前記第２の枠の少なくとも一方が前記面発光パネルの発光を通すようにした装置本体とを備え、
前記第１の枠は、前記面発光パネルの前記片面が向く平面部を有し、前記平面部の側端に前記面発光パネルの前記スペースを形成する側端部を有し、前記第２の枠は前記側端部に取付けられており、
前記平面部は前記面発光パネルが収納された状態で前記複数の電極にそれぞれ接触する接触部を有し、前記平面部の前記面発光パネルと反対側に固定用の部材を有し、前記部材の側面に凹部を有し、前記平面部を貫通して前記凹部に設けられるとともに同極同士が対角となるように前記平面部の角部に位置した外部接触部を有し、前記接触部と前記外部接触部を接続する配線部を有し、前記凹部に前記外部接続部材の一対の電極の付いた被接続部を挿入することにより、前記一対の電極が前記外部接触部に接触するとともに、前記装置本体が前記被接続部に固定される。
【００１５】
上記構成において、前記第１の枠または前記第２の枠の発光面側を導光部材により形成している。
【００１６】
この発明の照明器具は、上記構成の照明装置を複数用いた照明器具であって、複数の装置本体を相隣接したとき前記凹部同士が対向するように、前記凹部が前記枠の側面に溝状に形成され、前記外部接続部材が前記溝状の凹部の端部から挿入されることにより前記装置本体が前記外部接続部材に固定される。
【発明の効果】
【００１７】
この発明の照明装置によれば、外部接触部により外部接続部材との固定と給電を行うため、外部接続部材を外部接触部に固定すると同時に面発光パネル例えばELパネルへの給電を行うことが可能となり、従来の配線作業が容易となり、結線作業や施工性が良好となる。
【００１８】
１つの接続部にELパネルの陽極、陰極にそれぞれ接続される一対の外部接続手段をまとめて設けたため、1箇所の接続箇所で接続固定が可能となり接続固定に要する作業が簡単に行える。
【００１９】
接続部および被接続部の少なくとも一方は他方をばね部により弾性的に保持するため、外部接続部材と装置本体とは、少なくともその一方の弾性により互いに固定保持をより確実に行えることが可能となる。
【００２０】
外部接触部を角形の装置本体の角部に設けたことにより、ELパネルと装置本体との互いの外形輪郭距離を小さくすることが可能となり、照明装置全体の面積におけるELパネルの発光面の比率を高くすることができる。
【００２１】
装置本体の前面を、ELパネルの発光面に対向して、ELパネルの発光部以外の領域に光を導光する導光部材で覆うと、照明装置の前面である発光面側全体を発光させることが可能となる。
【００２２】
この発明の照明器具によれば、固定と給電を同時に行える照明装置を隣接して複数配置することにより発光面積を増大させることが可能となる。
【発明を実施するための最良の形態】
【００２３】
この発明の第１の実施の形態を図１から図７、図２１から図２３により説明する。面発光パネルである有機ELパネル１０は、各実施の形態に共通の図21から図23に示すように、透明基板であるガラス基板７上に、陽極１、正孔輸送層２、発光層３、電子輸送層４、陰極５を順次積層し、上記各層を防湿膜６にて覆っている。陽極１はITO膜等の透明電極とし、ガラス基板７側から発光する。８は発光部でありガラス基板７の表面となる。なお、陰極５を透明電極、防湿膜６を透光性部材で形成すると、陰極面からの発光も可能となり、ガラス面との両面発光も可能である。ガラス基板７はガラスに限らず、透光性を有するものであれば良い。
【００２４】
有機ＥＬパネル１０の外部と接続する電極は陽極１および陰極５の各々が発光層３の面積より広くなっており、各々が発光層３の対向する両辺に沿って形成され、したがって陽極１と陰極５は互いに直交するようにガラス基板７上に形成されている。
【００２５】
上記有機ELパネル１０を収納する外枠となる照明装置の装置本体１１は、図1から図3に示すように、透光性材料からなる枠１２と枠１３により構成されている。枠１２の透光性材料としては、アクリル、エポキシ樹脂等透光性を有するものであれば良い。枠１３には、有機ELパネル１０の電極１、５と電気的接続する接触部１４ａ、１４ｂ、外部接続部材１５の外部電極１８と電気的に接続する外部接触部１６ａ、１６ｂ、外部接触部１６ａ、１６ｂと接触部１４ａ、１４ｂとを接続する配線部１７ａ、１７ｂを外部接触手段として電路板により一体に形成している。陰極側は一対の接触部１４ａと配線部１７ａで平面コ字形をなし、配線部１７ａの中央に外部接触部１６ａをつないでいる。外部接触部１６ａは段差を付けるように屈曲している。陽極側は一対の接触部１４ｂの両端を配線部１７ｂで輪状につなぎ、一方の接触部１４ｂの中央で外部接触部１６ａと反対側に外部接触部１６ｂを配置している。外部接触部１６ａと接触部１４ｂの交差部間には部材２４を介在して絶縁を確保している。そして外部接続部材１５の一方に外部接触部１６ａが対向し、他方に外部接触部１６ｂが対向する。なお、配線部１７ａ、１７ｂは電路板だけでなく、リード線を用いたものや、枠１３に印刷にて形成するなど、外部接触部１６ａ、１６ｂと接触部１４ａ、１４ｂとを電気的に接続できれば良い。
【００２６】
枠１３は、外部接続部材１５との接続部となる凹部２０、２１を有する側端部２２、平面部２３、屈曲した上記電路板を保護し、陽極との電気的絶縁を確保する部材２４から構成されている。各部材の材料は絶縁性材料からなっており、アクリル、エポキシ等の樹脂にて作成する。これらの樹脂は電路板や電極を外部から見えないように、着色している。側端部２２には電路板を収納する貫通穴２５が凹部２０、２１の表面と平面部２３の結合面との間に設けられている。
【００２７】
平面部２３と側端部２２の接合は、接着部材やビスなどを適宜選択する。
【００２８】
有機ELパネル１０の陰極５と接続する電路板は平面部２３の形状に沿って、屈曲させ、平面部２３の表面に取り付ける。取付は、接着する方法や、ビスによる固定等とし、有機ELパネル１０の収納時にこれらの固定部分が接触せず、陰極５と接触部１４ａとの接続に支障がない方法であれば、構わないものとする（図示せず）。陰極５の電路板を平面部２３に取付た後、部材２４を取付け、部材２４の表面に陽極１の電路板を取付ける。陽極１の電路板についても陰極５の電路板と同様の方法により取付ける。
【００２９】
外部接触部１６ａ、１６ｂの先端は枠１３の凹部２１の内表面に取り付けてあり、外部接続部材１５の被接続部２７を凹部２１に挿入して装置本体１１を固定すると同時に、外部接触部１６ａ、１６ｂと外部接続部材１５の電極１８とが接触し、装置本体１１の固定と給電と行うことが可能となり、配線作業が容易になる。陽極１側の外部接触部１６ｂは凹部２０の下面側に配置し、陰極５側の外部接触部１６ａは凹部２１の上面側に配置している。各外部接触部１６ａ、１６ｂに対向して外部接続部材１５の被接続部２７に電極１８を設けている。
【００３０】
このように、枠１３側に設けた外部接続部材１５との接続を行う接続箇所である凹部２０、２１は対向する辺の各々に設け、各接続箇所には有機ELパネル１０の陰極５、陽極１のいずれか1つと電気的接続された外部接触部１６が配置されている。
これにより外部接続部材１５の共通化が図れる。
【００３１】
なお、枠１３は、有機ELパネル１０の発光面に対応する部分へ開口部を設けることも可能である。また、枠１３の発光部以外の部分を発光面からの光を導光する導光部材により作成し、発光部の光を導光すると、発光面側の枠全体を発光することが可能となる（図示せず）。そのため、照明装置を隣接して使用する場合には影の部分を作ることなく、発光面積を増大することが可能となる。この際、導光部材の一部は発光部の一部とオーバーラップしていると、発光面の影がなく発光面全体が発光するのでなお良い。
【００３２】
有機ELパネル１０の陰極５および陽極１との接触部１４ａ、１４ｂには、陰極５および陽極１との接触面積を増やすために、複数の突起部３０を設けている（図4参照）。具体的には、接触部分にプレス等により半球状の凸部を複数形成している。また、突起部３０は図5に示すように長丸の突起部３１を設けることも可能である。
【００３３】
これにより、接触部１４ａ、１４ｂで従来の電極の一部にリード線で取り付けるものに比べて、有機ELパネルの電極への電流の集中が低減でき、一定電流が流れやすくなることから、発光面の発光むらの低減を行うことが可能となる。
【００３４】
外部接触部１６ａはばね部として、図６のように湾曲した形状を設けて弾性を付与すると、外部接続部材１５の被接続部１７を挿入した際に、固定をより確実に行うことが可能となり、電極１８との電気的接続もより確実となる。外部接触部１６ｂも外部接触部１６ａと同様な構成とする。なお、図6および図7では外部接触部１６ａ、１６ｂを弾性形状としたが、外部接続部材１５の電極１８をわん曲等の弾性形状とし、外部接触部１６ａ、１６ｂを平面にした逆の場合でも同様の効果が得られる。
【００３５】
また、外部接続部材１５の電極１８、外部接触部１６ａ、１６ｂのいずれか一方の電極ないし接触部分以外の部分に弾性体を設けることでも、機械的固定および電気的接続の少なくとも一方について確実に接続できる。
【００３６】
外部接続部材１５、外部接触部１６ａ、１６ｂの両方に弾性体を設けることも可能である。
【００３７】
この発明の第２の実施の形態を図８および図９に示す。第１の実施の形態において、陰極５の一対の接触部１４ａの両端をそれぞれ配線部１７ａでつないで枠状に形成し、各配線部１７ａの中央部に外部接触部１６ａを設けている。各外部接触部１６ａの形状は第１の実施の形態と同様であり、陽極１の接触部１４ｂとの交差部には部材２４がそれぞれ介在されて絶縁されている。また陽極１の一対の配線部１７ｂにもそれぞれ外部接触部１６ｂを設けている。
【００３８】
図９に示すように、陰極５と陽極１の外部接触部１６ａ、１６ｂは互いに接触しないように、部材２４を介して接続個所である凹部２０、２１の上下に各々配置されている。なお、外部接触部１６ａ、１６ｂは、上記のように断面から見て上下に設けるだけでなく、側面側に設けることも可能である。
【００３９】
以上のように、1つの接続箇所の凹部２０、２１の各々に陰極５、陽極１の外部接触部１６ａ、１６ｂがあるため、外部接続部材１５の電極１８を外部接触部１６ａ、１６ｂに対応して各々に個別に接触するように設けることで、１箇所の外部接触部１６ａ、１６ｂのみで装置本体１１の固定と給電が可能となる。
【００４０】
また、外部接続部材１５の電極１８と配線を変更することで、装置本体１１同士の電気的接続を直列接続か並列接続のいずれかに適宜選択が可能となる。
【００４１】
この発明の第３の実施の形態を図１０および図１１に示す。第１の実施の形態と異なる点はつぎのとおりである。各凹部２０、２１にそれぞれ外部接触部１６ａ、１６ｂを並列に配置する。各外部接触部１６ｂはそれに近い陽極１に接触する接触部１４ｂに配線部１７ｂを介して接続されている。各外部接触部１６ａは陰極５に接触する接触部１４ａの一方に接触部１４ｂと交差しないように配線部１７ａを介して接続している。外部接続部材１５の被接続部２７は、各凹部２０、２１の外部接触部１６ａ、１６ｂに対応して一対ずつ電極１８を設けている。
【００４２】
また平面部２３の外径寸法を枠１３の外径寸法と同一とし、側端部２２を有機ＥＬパネル１０の厚みと略同一とし平面部２３と枠１２の端部間に介在している。
【００４３】
この実施の形態によれば、外部接触部１６ａ、１６ｂ、配線部１７ａ、１７ｂおよび接触部１４ａ、１４ｂを形成する電路板を平面で作成できるため、電路板を取付ける枠１３の平面部は、段差などの加工が不要となり、作成が容易となる。
【００４４】
また、配線部１７ａ、１７ｂは枠１３の平面部２３に膜として蒸着する方法や、液体状の導電部材を塗布して形成することも可能となり、接触部１４ａ、１４ｂには別途端子を設けることで電路板と同じ機能を形成することも可能である。
【００４５】
したがって、第２の実施の形態と同様に1つの接続箇所すなわち凹部２０または凹部２１にて固定と給電を行うことが可能であり、隣接する枠同士の電気的接続を直列、並列接続に適宜選択することも可能である。
【００４６】
また、図11（ａ）は凹部２０、２１にそれぞれ外部接続部材１５を接続するものであり、発光面内の電流をさらに一定にすることも可能となる。
【００４７】
図11（b）の外部接続部材１５は、図１１（ａ）の左右の外部接続部材１５を一体につなぎかつ電極１８も一体につないだものである。そして、左右いずれかの凹部２０、２１へ外部接続部材１５の被接続部２７がスライドして給電する構造としている。
【００４８】
この発明の第４の実施の形態を図１２から図１４に示す。第１の実施の形態と異なる点はつぎのとおりである。枠１３の角部に外部接触部１６ａ、１６ｂを配置し、このとき同極となるものが対角となるように配置する。各外部接触部１６ａ、１６ｂに隣接する接触部１４ａ、１４ｂを配線部１７ａ、１７ｂを介して接続している。
【００４９】
また枠１３は平面部２３の表面に部材２３ａを介して平面部２３とほぼ同じ大きさの平面部２３ｂを設け、図１４に示すように平面部２３、２３ｂの間の部材２３ａの表面に凹部を形成している。平面部２３に外部接触部１６ａ、１６ｂを通す孔３３を形成し、外部接触部１６ａ、１６ｂを孔３３に通して平面部２３に取付けて、凹部に位置している。
【００５０】
なお、外部接触部１６ａ、１６ｂと接触部１４ａ、１４ｂ間の配線部１７ａ、１７ｂは、電気的接続していれば良いので、上記電路板による一体形成の他に、外部接触部１６ａ、１６ｂと接触部１４ａ、１４ｂを別に作成し、リード線により接続する方法や、平面部２３に導電性のピンを打ち込み、ピンに外部接触部１６ａ、１６ｂおよび接触部１４ａ、１４ｂを各々接続する方法などで形成しても良い。
【００５１】
装置本体１０の組立手順としては、平面部２３に部材２３ａを取付け、部材２３ａに平面部２３ｂを取付けて、外部接続部材１５の接続箇所となる外部接触部１６ａ、１６ｂを設ける。また平面部２３の接触部取付面に接触部１４ａ、１４ｂを取付けるとともに側端部２２を設け、有機ELパネル１０を収納する。有機ELパネル１０の収納後、枠１２を側端部により固定し、装置本体１１を完成する。枠１２の側端部２２への取付は、ねじ等を用いる。なお、この取付け固定は上記以外に接着材による接着や、枠１２と側端部２２に凹凸を設けて嵌合する等固定が可能であれば良い。
【００５２】
外部接続部材１５は、図13に示す通り、被接続部２７の中央部に平面部２３の辺部を差し込み狭持可能な凹部２７ａを設けて差し込みにより接続固定する。また被接続部２７に外部接触部１６ａ、１６ｂに対応して電極１８を設け給電を行う。
【００５３】
第４の実施の形態によれば、外部接触部１６ａ、１６ｂを装置本体１１の四隅に配置することで装置本体１１の全体の小型化が可能となる。
【００５４】
この発明の第５の実施の形態を図１５に示す。第５の実施の形態は、第４の実施の形態の外部接触部１６ａ、１６ｂの形状を三角形としたものである。外部接触部１６ａ、１６ｂを三角形にし、その斜辺部分を有機ELパネル１０の陽極１および陰極５側に配置するようにしたことで、第４の実施の形態に比べて外部接触部１６ａ、１６ｂと有機ELパネル１０の陽極１および陰極５との距離を短くすることができ、さらなる装置本体１１の小型化が可能となる。
【００５５】
この発明の第６の実施の形態を図１６から図１８に示す。第１の実施の形態と異なる点は、枠１３の周辺部に沿って接触部１４ａ、１４ｂを兼ねた外部接触部１６ａ、１６ｂを設けたものである。外部接触部１６ａ、１６ｂは、有機ELパネル１０の陽極１および陰極５との接触部１４ａ、１４ｂを略平面となるように銅による電路板にて形成している。この場合、枠１３と枠１２をつなぐ側端部２２の外面に凹部２０、２１を形成するとともに外部接触部１６ａ、１６ｂを貫通する貫通部を形成している。
【００５６】
枠１２は、有機ELパネル１０の発光面に対応して開口１２ａを形成している。一方、枠１３は対角線上の分割部３５から分離可能となっており、分割部３５は一方が突条を形成し、他方が凹条を形成して凹凸嵌合することにより、枠１３の結合が可能となっている。ここで、有機ＥＬパネル１０の発光面に対応して枠１２に開口１２ａを形成しているため、枠１３の分割部３５を結合した際に生じる線が発光面にはないので、発光に影響を与えることがない。また、外部接触部１６ａ、１６ｂが対角部でそれぞれ分離されているため、枠１３の分離時に外部接触部１６ａ、１６ｂを電気的に接続するための構造が不要であり、枠１３の構造を簡素化でき、製造コストの低減が可能となる。
【００５７】
以上のような構成の装置本体１１としているため、外部接続部材１５との電気的接続は、枠周縁部の任意の部分で接続が可能となる。
【００５８】
第６の実施の形態では、外部接続部材１５は枠１３の対角部を利用して接続した例を示している。外部接続部材１５は枠１３への係止を可能とするL字状の係止部３６を両端に設け、その先端に被接続部２７と電極１８を形成している。係止部３６の一方を開閉可能とし、枠１３に形成した凹部２０、２１に両端の係止部３６を嵌合し接続する。
【００５９】
また、装置本体１１のそれぞれの角部には陽極と陰極の外部接触部１６ａ、１６ｂがあるため、外部接続部材１５の形状を変えることで、1箇所の角部の外部接触部１６ａ、１６ｂでの固定と給電が可能である（図示せず）。
【００６０】
なお、図16では、接触部１４ａ、１４ｂを兼ねた外部接触部１６ａ、１６ｂを平面上に延長して設けているので陽極または陰極が対向する辺に存在することになるが、枠１３内で外部接触部１６ａ、１６ｂの位置を変えることで対向する辺に異なる電位の電極を接続可能となる。
【００６１】
この発明の第７の実施の形態を図１９および図２０に示す。すなわち、第５の実施の形態の複数の装置本体１１を隣接させて配置した照明器具である。部材２３ａの凹部に外部接続部材１５を用いて隣接する装置本体１１を固定するとともに電極１８と外部接触部１６ａ、１６ｂを接触する。なお枠１２は発光部に開口１２ａを設け、発光部以外の周縁に導光部材を兼用して発光光を導光させ、枠１２の全面を発光可能としている。なお電源は第５の実施の形態と同様に装置本体１１の両端または外側の接続箇所の凹部から給電する（図示せず）。
【００６２】
したがって、装置本体１１を隣接して配置することで、照明器具としての発光面積の拡大が容易となる。このように、全面発光可能な装置本体１１を隣接して配置しているので、大きな有機ELパネル１０も用いることなく発光面積を増大させることが可能となる。また、配置場所の空間や必要な明るさなどの状況により、隣接させる組み合わせ方によって、長方形やライン状などの形状を自在に形成することができる。また、第６の実施の形態に示す装置本体１１を使用すると、隣接する装置本体１１の電極の配置により1つの外部接続部材１５で直列、並列接続の選択が可能である。反対に外部接続部材１５の電極１８の配置や構造を変更することで、直列、並列接続を選択することも可能である。
【００６３】
上記のように、上記実施の形態によれば、有機ELパネル１０を収納する装置本体１１において、枠１２、１３の外側表面より内側に、固定と電気的接続を同時に行える凹部２０、２１の接続箇所を設けることによって、配線処理が簡易で、隣接させる際に隙間が生じにくい手段を提供する。また、有機ELパネル１０の陽極１および陰極５への電気的接続方法において、発光面が大型化しても発光むらの生じにくい手段も併せて提供する。
【図面の簡単な説明】
【００６４】
【図１】この発明の第１の実施の形態の平面的にみた説明図である。
【図２】そのＡ−Ａ′線断面図である。
【図３】その分解断面図である。
【図４】（ａ）は接触部の側面図、（ｂ）は底面図、（ｃ）は電極への接触状態の側面図である。
【図５】（ａ）は別の実施の形態の接触部の側面図、（ｂ）はその底面図、（ｃ）は電極への接触状態の側面図である。
【図６】外部接続部材と接続する接続前の接続部の断面図である。
【図７】その接続状態の接続部の断面図である。
【図８】第２の実施の形態の平面的にみた説明図である。
【図９】そのＢ−Ｂ′線断面図である。
【図１０】第３の実施の形態の平面的にみた説明図である。
【図１１】（ａ）はその断面図、（ｂ）は別の外部接続部材に接続する場合の断面図である。
【図１２】第４の実施の形態の平面的にみた説明図である。
【図１３】そのＣ−Ｃ′線断面図である。
【図１４】その分解図である。
【図１５】第５の実施の形態の平面的にみた説明図である。
【図１６】第６の実施の形態の平面的にみた説明図である。
【図１７】そのＥ−Ｅ′線断面図である。
【図１８】図１６のＤ−Ｄ′線断面図である。
【図１９】第７の実施の形態の断面図である。
【図２０】その発光面からみた平面図である。
【図２１】有機ＥＬパネルの断面図である。
【図２２】その平面図である。
【図２３】斜視図である。
【符号の説明】
【００６５】
１    陽極
５    陰極
７    ガラス基板
１０    有機ＥＬパネル
１１    装置本体
１２    枠
１３    枠
１４ａ、１４ｂ  接触部
１５    外部接続部材
１６ａ、１６ｂ  外部接触部
１７ａ、１７ｂ  配線部
１８    電極
２０、２１    凹部
【図１】
0004432846.tif 000002
【図２】
0004432846.tif 000003
【図３】
0004432846.tif 000004
【図４】
0004432846.tif 000005
【図５】
0004432846.tif 000006
【図６】
0004432846.tif 000007
【図７】
0004432846.tif 000008
【図８】
0004432846.tif 000009
【図９】
0004432846.tif 000010
【図１０】
0004432846.tif 000011
【図１１】
0004432846.tif 000012
【図１２】
0004432846.tif 000013
【図１３】
0004432846.tif 000014
【図１４】
0004432846.tif 000015
【図１５】
0004432846.tif 000016
【図１６】
0004432846.tif 000017
【図１７】
0004432846.tif 000018
【図１８】
0004432846.tif 000019
【図１９】
0004432846.tif 000020
【図２０】
0004432846.tif 000021
【図２１】
0004432846.tif 000022
【図２２】
0004432846.tif 000023
【図２３】
0004432846.tif 000024